(57)【要約】【課題】印刷データの種類によって最適な印刷設定行ないその印刷設定にしたがい印刷する印刷装置を提供することを目的とする。【解決手段】印刷データの種類によって最適な印刷を行なう印刷装置であって、印刷設定情報を予め格納しておく設定情報格納手段２と、印刷データの種類を判別する印刷データ判別手段４と、前記印刷データ判別手段の判別した結果から最適の印刷設定情報を前記設定情報格納手段２から呼出す設定情報呼出し手段３とを有し、これによりユーザーが複雑な印刷設定を行なわなければならないという負担を軽減し、ワンボタンで印刷データの種類に応じた最適な印刷ができる。【選択図】図１
2006137084.tif 000002
【特許請求の範囲】
【請求項１】
印刷データの種類によって最適な印刷を行なう印刷装置であって、印刷設定情報を予め格納しておく設定情報格納手段と、印刷データの種類を判別する印刷データ判別手段と、前記印刷データ判別手段の判別した結果から最適の印刷設定情報を前記設定情報格納手段から呼出す設定情報呼出し手段とを有する印刷装置。
【請求項２】
前記印刷設定情報をユーザーが変更および新規登録する設定情報登録手段を付加した請求項１に記載の印刷装置。
【発明の詳細な説明】
【技術分野】
【０００１】
本発明は、印刷データの種類のよって最適な印刷を行なう印刷装置に関するものである。
【背景技術】
【０００２】
従来、この種の印刷装置は、ユーザーへの負担を軽減するために印刷装置の各種設定をユーザーが設定および複数登録し、この登録された各種設定内容の所望の一つを指示し、指示された設定内容に従って印刷を行っていた。
【０００３】
図７は従来の印刷装置のブロック構成図である。
【０００４】
図７において、５１はホスト等の外部機器から、文書情報や画像データ、本装置内に登録された各種設定条件を呼出すためのコマンド等を入力したり、本装置の設定条件等をホスト等の外部機器に出力したりする入出力制御部であり、この入出力制御部５１を通して外部機器より入力された画像データ等は少なくとも１ページ分の容量を有するページメモリ５２に格納される。ページメモリ５２に格納されるデータには画像情報、文書情報および強調文字等を指定する制御コードなどが含まれる。
【０００５】
５７はキャラクタジェネレータ部で、ページメモリ５２上に格納されている文書情報が文字コード情報から成るとき、それらの文字コード情報を入力し、対応するパターンデータを主制御部５８に出力している。
【０００６】
５３はキャラクタジェネレータ部５７でパターン化したビットデータ等を展開するビットマップメモリである。
【０００７】
５８はプリンタ全体の制御を行なう主制御部で、例えばマイクロプロセッサ等のＣＰＵ６３と制御プログラム、データを格納しているＲＯＭ６４、ワークエリア用のＲＡＭ６５を備えている。
【０００８】
５４はスキャンバッファであって、レーザービームの１ライン走査に使用されるイメージを格納するバッファ６１、６２を有する。
【０００９】
バッファ６１、６２が２つあるのは、一方が並直列変換機５５で像形成部５６に出力中であっても、もう一方が次ラインのデータを格納できるようにするためである。
【００１０】
尚、１ラインの出力が終了すると、今度はもう一方のバッファ６２を出力対象とし、出力済みとなったバッファ６１には次ラインのデータが転送されるようになり、以後交互に切り替わりながら処理を行ない高速なものとしている。
【００１１】
６０は操作パネルであり、印刷装置の各種状態を表示するＬＥＤ表示部６６や、ＬＣＤ表示部６７および印刷装置の各種設定やテストプリント等を行なうためのスイッチ部６８により構成される。
【００１２】
スイッチ部６８の操作により設定した用紙カセットや外部インターフェース、ページ記述言語などの各種設定、もしくはそれらの設定の組み合わせは設定記憶部５９に複数登録することができる。
【００１３】
各種設定の組み合わせの登録および呼出しはそれぞれの設定登録スイッチ７０および設定呼出しスイッチ６９によって行なう（例えば、特許文献１参照）。
【００１４】
以上のように構成された印刷装置について、以下にその動作を説明する。
【００１５】
図８は従来の印刷装置の制御プログラムのフローチャートである。
【００１６】
スイッチ部６８の操作により印刷装置のスイッチがＯＮされ（ステップ７１）、設定する各種設定は、ＬＥＤ表示部６６やＬＣＤ表示部６７に表示され、設定を終了した時点で設定登録スイッチ７０を押すと（ステップ７２）本設定内容は設定記憶部５９に登録される（ステップ７３）。
【００１７】
上記操作の繰り返しにより複数の設定内容を設定記憶部５９に登録することができる。
【００１８】
一方、設定呼出しスイッチ６９を押す（ステップ７４）と、設定記憶部５９に登録された設定内容の一つがＬＥＤ表示部６６やＬＣＤ表示部６７呼出され（ステップ７５）表示される（ステップ７６）。
【００１９】
希望する設定内容が上記ＬＥＤ表示部６６やＬＣＤ表示部６７に表示されるまで設定呼出しスイッチ６９を押すことにより、所望の設定内容を選ぶことができる。
【００２０】
さて、ホストとの接続をオンラインとして実際に印刷データが送られてくると、その時点でＬＥＤ表示部６６やＬＣＤ表示部６７に表示された設定内容を確認し（ステップ７７）、この設定内容にしたがって印刷を実行する（ステップ７８）。
【特許文献１】特開平５−８５０１３号公報
【発明の開示】
【発明が解決しようとする課題】
【００２１】
しかしながら、上記従来の印刷装置では、複雑な印刷設定をユーザー自身が登録する必要があり非常に面倒で、また設定登録も複数できるので、登録件数が多数ある場合は最適の印刷設定を選択する際に間違う可能性が大きいという問題点を有していた。
【００２２】
本発明は上記問題点を解決するものであり、印刷データの種類によって最適な印刷設定行ないその印刷設定にしたがい印刷する印刷装置を提供することを目的とするものである。
【課題を解決するための手段】
【００２３】
本発明は上記目的を達成するために、印刷データの種類によって最適な印刷を行なう印刷装置であって、印刷データの種類を判別した結果から最適の印刷設定情報を呼出し、その印刷設定にしたがい印刷を行なう構成を備えている。
【００２４】
この構成により、ユーザーが複雑な印刷設定を行なわなければならないという負担を軽減し、ワンボタンで印刷データの種類に応じた最適な印刷ができるという作用を達成することができる。
【発明の効果】
【００２５】
本発明によれば、印刷データの種類によって最適な印刷を行なう印刷装置であって、印刷設定情報を予め格納しておく設定情報格納手段と、印刷データの種類を判別する印刷データ判別手段と、前記印刷データ判別手段の判別した結果から最適の印刷設定情報を前記設定情報格納手段から呼出す設定情報呼出し手段とを設けた構成にしたことにより、ユーザーが複雑な印刷設定を行なわなければならないという負担を軽減し、ワンボタンで印刷データの種類に応じた最適な印刷ができるという効果が得られる。
【発明を実施するための最良の形態】
【００２６】
本発明の印刷装置は、印刷データの種類によって最適な印刷を行なう印刷装置であって、印刷設定情報を予め格納しておく設定情報格納手段と、印刷データの種類を判別する印刷データ判別手段と、前記印刷データ判別手段の判別した結果から最適の印刷設定情報を前記設定情報格納手段から呼出す設定情報呼出し手段とを設けた構成を有する。
【００２７】
これにより、印刷データの種類を判別した結果から最適の印刷設定情報を呼出し、その印刷設定にしたがい印刷を行なうため、ユーザーが複雑な印刷設定を行なわなければならないという負担を軽減し、ワンボタンで印刷データの種類に応じた最適な印刷ができるという効果が得られる。
【００２８】
また、前記印刷設定情報をユーザーが変更および新規登録する設定情報登録手段を付加した構成を有する。
【００２９】
これにより、予め格納されている印刷設定情報の設定内容では、ユーザーが満足する印刷ができない時に設定内容を変更登録したり、新たな設定情報を登録することができ、ユーザーの満足する印刷ができたり新たな印刷データの種類であっても印刷設定を新規登録できることで、次回の印刷からは複雑な印刷設定を行なわなければならないという負担を軽減し、ワンボタンで印刷データの種類に応じた最適な印刷ができるという効果が得られる。
【００３０】
（実施の形態１）
以下、本発明の実施の形態１における印刷装置について、図面を参照しながら説明する。
【００３１】
図１は本発明の実施の形態１における印刷装置の内部構成を示すブロック図、図２は本発明の実施の形態１における印刷装置の構成図である。
【００３２】
図１において、本発明の印刷装置の内部構成は、印刷データの種類、例えば写真データやテキストデータやイラストデータ等のフルカラーやカラーやモノクロの色データや、印刷データのデータサイズや解像度のデータ等、印刷する上で必要な印刷データから、その印刷データの種類に応じた印刷設定情報を予め格納しておく設定情報格納手段２と、ＵＳＢやＬＡＮ等をはじめとする外部入力からの印刷データ等をインターフェースする外部入力Ｉ／Ｆ手段８やＳＤやコンパクトフラッシュ（登録商標）やスマートメディアやメモリースティック等のメモリから印刷データ等をインターフェースする外部メモリＩ／Ｆ手段９からの印刷データの種類がどのようなものであるかを判別する印刷データ判別手段４と、この印刷データ判別手段４により判別された印刷データの種類に最適な印刷設定情報を前記設定情報格納手段２より呼出してくる設定情報呼出し手段３と、この設定情報呼出し手段３により呼出された印刷設定情報を表示するための表示制御手段７と、前記印刷装置のキー操作を制御するための操作制御手段６と、印刷データを印刷するための印刷制御手段５と、前記印刷装置の装置全体を制御するため、例えばマイクロプロセッサ等のＣＰＵや制御プログラム等を格納しているＲＯＭやワークエリア用のＲＡＭを含む主制御手段１とで構成される。
【００３３】
図２において、本発明の実施の形態１における印刷装置２０の構成は、印刷設定情報を表示するＬＣＤやＬＥＤ等の印刷設定表示画面２１と、前記設定情報格納手段２のエリア＃１、＃２、＃３に登録する時に使用する登録番号キー２２、２３、２４と、前記印刷設定表示画面２１の選択位置を上下に移動するための上移動キー２５と下移動キー２６と、印刷設定情報を変更する時に使用する変更キー２７と、変更した印刷設定情報を登録したり新規登録する時に使用する登録キー２８と、印刷設定情報を呼出すための設定呼出キー２９と、印刷開始を指示する印刷キー３０と、この印刷キー３０を押して印刷開始を指示するも印刷キャンセルを指示したいときに使用するキャンセルキー３１と、ＳＤやコンパクトフラッシュ（登録商標）やスマートメディアやメモリースティック等のメモリカード３３と、このメモリーカード３３が挿入されるメモリカードスロット３２と、ＵＳＢやＬＡＮ等と接続する外部入力部３５とにより構成され、前記印刷キー３０により印刷指示が出され印刷された印刷用紙３４が前記印刷装置２０より出力される。
【００３４】
以上のように構成された印刷装置の動作、すなわち印刷方法について説明する。
【００３５】
図３は、本発明の実施の形態１における印刷方法の動作を示すフローチャートである。
【００３６】
例えばＵＳＢやＬＡＮ等をはじめとする外部入力が前記外部入力部３５で前記印刷装置２０と接続され、前記外部入力Ｉ／Ｆ手段９を介して印刷データを前記印刷装置２０に入力、もしくはＳＤやコンパクトフラッシュ（登録商標）やスマートメディアやメモリースティック等の前記メモリカード３３が前記メモリカードスロット３２に挿入され印刷データが前記外部メモリＩ／Ｆ手段１０介して入力されると、前記印刷データ判別手段４が入力された印刷データの種類を判別する（ステップＳ４０）。
【００３７】
前記印刷データ判別手段４の判別結果から、印刷データの種類に最適な印刷設定情報を前記設定情報呼出し手段３が前記設定情報格納手段２より呼出し（ステップＳ４１）、前記表示制御手段８の制御により印刷設定情報を表示するＬＣＤやＬＥＤ等の前記印刷設定表示画面２１に印刷設定情報を表示する。
【００３８】
ユーザーは前記印刷設定表示画面２１に表示された印刷設定情報を確認し（ステップＳ４２）、その印刷設定情報でＯＫであれば前記印刷キー３０をキー入力し前記操作制御手段６が印刷キー入力が行なわれたことを制御する（ステップＳ４３）。
【００３９】
印刷キー入力が実行されると印刷データを印刷するための前記印刷制御手段５の制御により印刷が開始され（ステップＳ４４）、印刷データがなくなると印刷を終了し（ステップＳ４５）、次の印刷データを待つノーマルモードとなる（ステップＳ４６）。
【００４０】
前記キャンセルキー３１のキー入力がされ前記操作制御手段６がキャンセルキー入力が行われたことを制御すると（ステップＳ５２）、そのキー入力がされた時が印刷中モードであるかどうかを前記主制御手段１が判断し（ステップＳ５３）、印刷中であれば印刷をキャンセルして（ステップＳ５４）次の印刷データを待つノーマルモードとなり、印刷中でない時も同様に次の印刷データを待つノーマルモードとなる（ステップＳ４６）。
【００４１】
以上のように本実施の形態１によれば、印刷データの種類によって最適な印刷を行なう印刷装置であって、印刷設定情報を予め格納しておく設定情報格納手段２と、印刷データの種類を判別する印刷データ判別手段４と、前記印刷データ判別手段４の判別した結果から最適の印刷設定情報を前記設定情報格納手段２から呼出す設定情報呼出し手段３とを有することにより、ユーザーが複雑な印刷設定を行なわなければならないという負担を軽減し、ワンボタンで印刷データの種類に応じた最適な印刷ができる。
【００４２】
また上述の通り、印刷装置としてハードウェア的に実現できることは勿論のこと、「ステップ」として把握し印刷方法としてソフトウェア的に実現することができることも明らかである。
【００４３】
（実施の形態２）
以下、本発明の実施の形態２における印刷装置について、図面を参照しながら説明する。
【００４４】
図４は本発明の実施の形態２における印刷装置の内部構成を示すブロック図である。印刷装置の構成は図２で示される実施の形態１と同じであるため、その説明は省略する。
【００４５】
図４において本発明の印刷装置の内部構成は、印刷データの種類、例えば写真データやテキストデータやイラストデータ等のフルカラーやカラーやモノクロの色データや、印刷データのデータサイズや解像度のデータ等、印刷する上で必要な印刷データから、その印刷データの種類に応じた印刷設定情報を予め格納しておく設定情報格納手段２と、ＵＳＢやＬＡＮ等をはじめとする外部入力からの印刷データ等をインターフェースする外部入力Ｉ／Ｆ手段８やＳＤやコンパクトフラッシュ（登録商標）やスマートメディアやメモリースティック等のメモリから印刷データ等をインターフェースする外部メモリＩ／Ｆ手段９からの印刷データの種類がどのようなものであるかを判別する印刷データ判別手段４と、この印刷データ判別手段４により判別された印刷データの種類に最適な印刷設定情報を前記設定情報格納手段２より呼出してくる設定情報呼出し手段３と、この設定情報呼出し手段３により呼出された印刷設定情報を表示するための表示制御手段７と、前記設定情報格納手段２に予め格納されている印刷設定情報の設定内容では、ユーザーが満足する印刷ができない時に設定内容を変更登録したり、新たな設定情報を登録するための設定情報登録手段１０と、前記印刷装置のキー操作を制御するための操作制御手段６と、印刷データを印刷するための印刷制御手段５と、前記印刷装置の装置全体を制御するため、例えばマイクロプロセッサ等のＣＰＵや制御プログラム等を格納しているＲＯＭやワークエリア用のＲＡＭを含む主制御手段１とで構成される。
【００４６】
また、実施の形態２における印刷装置の構成は図２で示される実施の形態１と同じであるため説明は省略する。
【００４７】
以上のように構成された印刷装置の動作、すなわち印刷方法について説明する。
【００４８】
図５は本発明の実施の形態２における印刷方法の動作を示すフローチャートで、図６は本発明の実施の形態２における設定情報の変更例を示す説明図である。
【００４９】
例えばＵＳＢやＬＡＮ等をはじめとする外部入力が前記外部入力部３５で前記印刷装置２０と接続され、前記外部入力Ｉ／Ｆ手段９を介して印刷データを前記印刷装置２０に入力、もしくはＳＤやコンパクトフラッシュ（登録商標）やスマートメディアやメモリースティック等の前記メモリカード３３が前記メモリカードスロット３２に挿入され印刷データが前記外部メモリＩ／Ｆ手段１０介して入力されると、前記印刷データ判別手段４が入力された印刷データの種類を判別する（ステップＳ４０）。
【００５０】
前記印刷データ判別手段４の判別結果から、印刷データの種類に最適な印刷設定情報を前記設定情報呼出し手段３が前記設定情報格納手段２より呼出し（ステップＳ４１）、前記表示制御手段８の制御により印刷設定情報を表示するＬＣＤやＬＥＤ等の前記印刷設定表示画面２１に印刷設定情報を表示する。
【００５１】
ユーザーは前記印刷設定表示画面２１に表示された印刷設定情報を確認し（ステップＳ４２）、その印刷設定情報でＯＫであれば前記印刷キー３０をキー入力し前記操作制御手段６が印刷キー入力が行なわれたことを制御し（ステップＳ４３）、その印刷設定情報でＯＫでなければ印刷設定情報を変更するために前記変更キー２７をキー入力し前記操作制御手段６が変更キー入力が行なわれたことを制御する（ステップＳ４７）。
【００５２】
前記変更キー２７のキー入力により印刷設定情報を変更するモードになると、前記印刷設定表示画面２１に表示された印刷設定情報において、カーソルの選択位置を上下に移動するための前記上移動キー２５と前記下移動キー２６のいずれかのキー入力を行ない、ユーザーが変更したい設定項目を取得（ステップＳ４８）、この設定項目には用紙種別（普通紙、写真紙、インクジェット紙等）、用紙サイズ（Ａ４、Ｌ版、はがき等）、ふち（あり／なし）、日付（あり／なし）、解像度（最高、普通、粗い、自動等）、画質調整（人物、風景、建物、自動等）等があり、これら以外でも印刷に関わる設定項目があれば追加可能である。
【００５３】
例えば、図５においてカーソルの選択位置を上下に移動するための前記上移動キー２５と前記下移動キー２６のいずれかのキー入力を行ない用紙サイズの設定項目を取得すると、前記変更キー２７のキー入力によりＡ４サイズかＬ版かはがきのいずれかユーザーが希望する用紙サイズの設定を取得、印刷設定情報を変更し（ステップＳ４９）、この内容で印刷する場合は前記印刷キー３０をキー入力し前記操作制御手段６が印刷キー入力が行なわれたことを制御し（ステップＳ４３）、印刷キー入力が実行されると印刷データを印刷するための前記印刷制御手段５の制御により印刷が開始され（ステップＳ４４）、印刷データがなくなると印刷を終了し（ステップＳ４５）、次の印刷データを待つノーマルモードとなる（ステップＳ４６）。
【００５４】
前記キャンセルキー３１のキー入力がされ前記操作制御手段６がキャンセルキー入力が行われたことを制御すると（ステップＳ５２）、そのキー入力がされた時が印刷中モードであるかどうかを前記主制御手段１が判断し（ステップＳ５３）、印刷中であれば印刷をキャンセルして（ステップＳ５４）次の印刷データを待つノーマルモードとなり、印刷中でない時も同様に次の印刷データを待つノーマルモードとなる（ステップＳ４６）。
【００５５】
また、変更した印刷設定情報をエリア＃１に登録する場合は、エリア＃１の前記登録番号キー２２をキー入力し前記操作制御手段６がキー入力が行なわれたことを制御し（ステップＳ５０）、前記設定情報登録手段１０により前記設定情報格納手段２のエリア＃１に設定変更した印刷設定情報を書込み（ステップＳ５１）、次の印刷データを待つノーマルモードとなる（ステップＳ４６）。
【００５６】
なお、書込みエリアをエリア＃１、＃２、＃３としない場合の印刷設定情報の登録は、前記登録キー２８をキー入力し前記操作制御手段６が登録キー入力が行なわれたことを制御し、前記設定情報登録手段１０により前記設定情報格納手段２に書込まれる。
【００５７】
また、新たな印刷データの種類に対応するための印刷設定情報の新規登録についても上記変更登録と同様に、前記設定情報登録手段１０により前記設定情報格納手段２に書込まれる。
【００５８】
以上のように本実施の形態２によれば、印刷データの種類によって最適な印刷を行なう印刷装置であって、印刷設定情報をユーザーが変更および新規登録する設定情報登録手段１０を有することにより、予め格納されている印刷設定情報の設定内容では、ユーザーが満足する印刷が出来ない時に設定内容を変更登録したり、新たな設定情報を登録する事ができ、ユーザーの満足する印刷ができたり新たな印刷データの種類であっても印刷設定を新規登録できる事で、次回の印刷からは複雑な印刷設定を行なわなければならないという負担を軽減し、ワンボタンで印刷データの種類に応じた最適な印刷ができる。
【００５９】
また上述の通り、印刷装置としてハードウェア的に実現できることは勿論のこと、「ステップ」として把握し印刷方法としてソフトウェア的に実現することができることも明らかである。
【産業上の利用可能性】
【００６０】
以上のように本発明の印刷装置は、印刷データの種類によって最適な印刷をすることができ、ユーザーが複雑な印刷設定を行なわなければならないという負担を軽減するという効果を有し、印刷データの種類に応じた印刷制御として有用である。
【図面の簡単な説明】
【００６１】
【図１】本発明の実施の形態１における印刷装置の内部構成を示すブロック図
【図２】本発明の実施の形態１における印刷装置の構成図
【図３】本発明の実施の形態１における印刷方法の動作を示すフローチャート
【図４】本発明の実施の形態２における印刷装置の内部構成を示すブロック図
【図５】本発明の実施の形態２における印刷方法の動作を示すフローチャート
【図６】本発明の実施の形態２における設定情報の変更例を示す説明図
【図７】従来の印刷装置のブロック構成図
【図８】従来の印刷装置の制御プログラムのフローチャート
【符号の説明】
【００６２】
１    主制御手段
２    設定情報格納手段
３    設定情報呼出し手段
４    印刷データ判別手段
５    印刷制御手段
６    操作制御手段
７    表示制御手段
８    外部入力I／Ｆ手段
９    外部メモリI／Ｆ手段
１０    設定情報登録手段
２１    印刷設定表示画面
２２    登録番号キー＃１
２３    登録番号キー＃２
２４    登録番号キー＃３
２５    上移動キー
２６    下移動キー
２７    変更キー
２８    設定登録きー
２９    設定呼出キー
３０    印刷開始キー
３１    キャンセルキー
３２    メモリカードスロット
３３    メモリカード
３４    印刷用紙
３５    外部入力部
【図１】
2006137084.tif 000003
【図２】
2006137084.tif 000004
【図３】
2006137084.tif 000005
【図４】
2006137084.tif 000006
【図５】
2006137084.tif 000007
【図６】
2006137084.tif 000008
【図７】
2006137084.tif 000009
【図８】
2006137084.tif 000010